(57)【要約】【課題】菜園への給水を可能な限り自然に行うことができるベランダ構造を提供する。【解決手段】住宅に設けられたベランダ（１２）は、凹部（２２）が形成された床部（２０）と、床部（２０）の上方空間を覆う屋外屋根部と、床部（２０）の凹部（２２）内に設けられた菜園（６）と、床部（２０）の屋外側端部に設けられた手摺壁（３０）とを備える。手摺壁（３０）は、菜園（６）に雨水を導くためのガイド部（３２）を有している。【選択図】図５
2017179697.tif 000002
【特許請求の範囲】
【請求項１】
住宅に設けられたベランダの構造であって、
凹部が形成された床部と、
前記床部の上方空間を覆う屋外屋根部と、
前記床部の凹部内に設けられた菜園と、
前記床部の屋外側端部に設けられた手摺壁とを備え、
前記手摺壁は、前記菜園に雨水を導くためのガイド部を有している、住宅のベランダ構造。
【請求項２】
前記床部は、
前記手摺壁の下方に位置し、かつ、前記凹部に隣接または近接する立上り部と、
前記立上り部の屋内側に位置し、前記菜園から溢れる水を排水するための排水溝とを含む、請求項１に記載のベランダ構造。
【請求項３】
前記手摺壁は、透光性を有する透光パネルをさらに有し、
前記ガイド部は、前記透光パネルの下方側に配置されている、請求項１または２に記載の住宅のベランダ構造。
【請求項４】
前記ガイド部は、屋内側に向かって傾斜した複数の羽板を含む横ルーバーにより構成される、請求項１〜３のいずれかに記載のベランダ構造。
【請求項５】
前記菜園は、土壌層と、前記土壌層の下方に位置する吸水層を含む、請求項１〜４のいずれかに記載のベランダ構造。
【請求項６】
前記住宅は、商用植物工場が設置された共用部と、家庭用植物工場が設置された複数の住戸とを含む集合住宅である、請求項１〜５のいずれかに記載のベランダ構造。
【発明の詳細な説明】
【技術分野】
【０００１】
本発明は、住宅のベランダ構造に関し、特に、菜園を備えたベランダの構造に関する。
【背景技術】
【０００２】
今般、庭のない住宅においても、ベランダに菜園を設けて、食用野菜などの植物の栽培を行う家庭が増えている。
【０００３】
特開平１１−３２５８９号公報（特許文献１）には、マンションなどの限られた面積のベランダにおいて効率的に植栽を行うために、既存のベランダ全体に植栽容器を設置し、その植栽容器内に床面パネルを支持する支持部材を形成するとともに、植栽容器の内部に植栽土壌を充填することが開示されている。パネルは植栽容器を覆う状態で配置されるが、任意の地点のパネルを取り除くことで、植物土壌への植栽が可能となっている。
【先行技術文献】
【特許文献】
【０００４】
【特許文献１】特開平１１−３２５８９号公報（特許第３８７４８９６号）
【発明の概要】
【発明が解決しようとする課題】
【０００５】
集合住宅においては、上階のベランダ床などがベランダの屋根（屋外屋根部）となっているため、ベランダへの雨水の吹き込みは、強風時にしか見込めない。したがって、一般的なベランダ菜園では、降雨時であっても、居住者自身で植物への水やりを行わなければならない。
【０００６】
また、特許文献１では、既存のベランダ上に設置された植栽容器全体がパネルにより覆われるため、植栽土壌への給水は、別途設けた給水管により行われる。
【０００７】
このように、従来、ベランダ菜園の植物への給水は、手動または機械的手段でしか実現できていなかった。
【０００８】
本発明は、上記のような課題を解決するためになされたものであって、その目的は、菜園への給水を可能な限り自然に行うことができるベランダ構造を提供することである。
【課題を解決するための手段】
【０００９】
この発明のある局面に従う住宅のベランダ構造は、住宅に設けられたベランダの構造であって、凹部が形成された床部と、床部の上方空間を覆う屋外屋根部と、床部の凹部内に設けられた菜園と、床部の屋外側端部に設けられた手摺壁とを備える。手摺壁は、菜園に雨水を導くためのガイド部を有している。
【００１０】
好ましくは、床部は、手摺壁の下方に位置し、かつ、凹部に隣接または近接する立上り部と、立上り部の屋内側に位置し、菜園から溢れる水を排水するための排水溝とを含む。
【００１１】
好ましくは、手摺壁は、透光性を有する透光パネルをさらに有している。ガイド部は、透光パネルの下方側に配置されていることが望ましい。
【００１２】
ガイド部は、屋内側に向かって傾斜した複数の羽板を含む横ルーバーにより構成されていてもよい。
【００１３】
好ましくは、菜園は、土壌層と、土壌層の下方に位置する吸水層とを含む。
【００１４】
住宅は、商用植物工場が設置された共用部と、家庭用植物工場が設置された複数の住戸とを含む集合住宅であってもよい。
【発明の効果】
【００１５】
本発明によれば、手摺壁に設けられたガイド部により、雨水が菜園に導かれる。したがって、降雨の際には、ベランダ菜園への給水を自然に行うことができる。
【図面の簡単な説明】
【００１６】
【図１】本発明の実施の形態において、野菜の自給自足体制を実現した集合住宅の概念図である。
【図２】本発明の実施の形態に係る集合住宅において、各住戸に家庭用植物工場およびベランダ菜園が設置された様子を示す図である。
【図３】本発明の実施の形態に係る集合住宅における、野菜の自給自足の流れを示すフローチャートである。
【図４】本発明の実施の形態におけるベランダの構成例を模式的に示す平面図である。
【図５】本発明の実施の形態におけるベランダの構成例を模式的に示す断面図である。
【発明を実施するための形態】
【００１７】
本発明の実施の形態について図面を参照しながら詳細に説明する。なお、図中同一または相当部分には同一符号を付してその説明は繰返さない。
【００１８】
本実施の形態では、野菜の自給自足体制を実現した集合住宅について説明する。
【００１９】
（概要について）
図１を参照して、集合住宅１は、共用部２と、複数の住戸（Ａ，Ｂ，Ｃ，・・・）３とを備える。住戸３は、図２に示されるように、専用空間としての室内空間１１およびベランダ１２を含む。共用部２には、商用植物工場４が設置されている。各住戸３には、室内空間１１に家庭用植物工場５が設置され、ベランダ１２に菜園（ベランダ菜園）６が設置されている。室内空間１１とベランダ１２とは、外壁１３を挟み、内外方向に隣り合っている。
【００２０】
図３は、集合住宅１における野菜の自給自足の流れを示すフローチャートである。図１および図３を参照して、商用植物工場４をナーセリー（主苗場）として使用し、商用植物工場４にて育苗を行う（ステップＳ１）。商用植物工場４の植物棚には、住戸数以上の育苗パレットが設置されている。
【００２１】
その後、商用植物工場４で出来た苗を、各家庭の家庭用植物工場５に配布する（ステップＳ２）。家庭用植物工場５には、たとえば、商用植物工場４に設置されていた育苗パレット４０ごと、苗が収容される。家庭用植物工場５において、苗が食用野菜となるまで育てられる。
【００２２】
家庭用植物工場５において苗が食用野菜となるまで育てられると、各家庭でその食用野菜が消費される（ステップＳ３）。
【００２３】
あるいは、家庭用植物工場５で育てられた食用野菜を、図２に示すようなベランダ菜園６にて栽培し、食用野菜を大きく育ててから収穫する（ステップＳ４）。つまり、家庭用植物工場５で育てられた野菜６０をベランダ菜園６に植え替えて、ベランダ菜園６にて野菜６０を栽培する。この場合、商用植物工場４でのナーセリー→家庭用植物工場５での中間栽培→ベランダ菜園６での最終栽培というヒエラルキーが付けられるため、最大量の収穫が望める。
【００２４】
具体的には、商用植物工場４が年間１２０００株程度、食用野菜を収穫可能な装置であると仮定する。このような商用植物工場４を育苗に特化することで、１／３程度の日数で苗まで成長させることができるとすれば、商用植物工場４での苗の収穫量は３倍の３６０００株となる。集合住宅１の住戸数がたとえば１００戸であるとすると、１戸当たり３６０株の苗を配布することが可能である。したがって、このような場合、理論上は各家庭に毎日１株配布できることになる。
【００２５】
ここで、図２に示されるように、ベランダ１２の床部２０の上方空間は、屋外屋根部５０により覆われている。屋外屋根部５０は、たとえば上階のベランダ１２の床部２０である。商用植物工場４および家庭用植物工場５においては、人手に頼ることなく植物の栽培が自動的に行われるが、このようなベランダ１２に設けられた菜園６では、基本的に、居住者自身が食用野菜を育てるための作業を行わなくてはならない。菜園６に給水管などを設けて、機械的に給水することも考えられるが、ベランダ１２の美観を損ねる可能性もあり、可能な限り、機械に依らず自然の雨水を利用することが望ましい。
【００２６】
そこで、本実施の形態の集合住宅１におけるベランダ１２は、食用野菜などの植物栽培に適した構造を有している。以下に、各住戸３に設けられたベランダ１２の構造例について、詳細に説明する。なお、ベランダ１２は、南向きであることが望ましい。
【００２７】
（ベランダ構造について）
図４は、ベランダ１２の構成例を模式的に示す平面図である。図５は、ベランダ１２の構成例を模式的に示す断面図である。図４では、ベランダ１２の横幅方向が矢印Ａ１で示され、ベランダ１２の内外方向が矢印Ａ２で示されている。
【００２８】
図４および図５を参照して、ベランダ１２は、外壁１３に交差する床部２０と、床部２０の屋外側端部に設けられた手摺壁３０とを含む。床部２０の床面は、屋外側に向かうにつれて徐々に低くなるよう、勾配を有している。床部２０の屋外側端部に、床面高さよりも上方に立ち上がる立上り部２３が設けられており、手摺壁３０は、この立上り部２３の上に配置されている。床面を基準とした立上り部２３の高さは、たとえば１０ｃｍ以上３０ｃｍ以下である。また、床面を基準とした手摺壁３０の高さは、１１０ｃｍ以上である。なお、手摺壁３０は、実際に手摺となる部分を有していなくてもよい。
【００２９】
本実施の形態において、床部２０は、部分的に刳り貫かれることにより形成された凹部を有している。この凹部２２に、菜園６が設けられている。凹部２２は、立上り部２３に隣接して配置されている。つまり、立上り部２３の屋内側の側面が、凹部２２の屋外側の側面を構成している。
【００３０】
図５に示されるように、菜園６は、防水層６１と、ポリマー剤などの保湿剤（吸水材）６２と、軽量土壌６３とを含み、これらが下から順に積層されている。軽量土壌６３の上面は、床部２０の床面と略面一となっている。
【００３１】
図４に示されるように、菜園６は、室内空間１１とベランダ１２との間に位置する外壁１３から所定距離Ｌ１以上離れた位置に配置されている。所定距離Ｌ１は、隣戸間の隔壁１４を破って逃げる際の避難経路を確保するために必要な距離、たとえば６００ｍｍである。また、菜園６は、下階への避難ハッチ４１と、上階の避難ハッチに対応する避難区間４２とを避けて配置されている。さらに、菜園６は、洗濯物を干すための物干しスペース４３を避けて配置されていることが望ましい。
【００３２】
菜園６（すなわち凹部２２）は、たとえば平面視矩形形状であり、内外方向長さよりも横幅方向長さの方が長い。本実施の形態では、凹部２２が立上り部２３に隣接して配置されているため、排水溝２１は、菜園６を挟み、横幅方向一方側および他方側に分割されている。排水溝２１は、一般的なベランダと同様に、床部２０において立上り部２３の屋内側に位置しており、横幅方向に沿って延びている。
【００３３】
図５に示すように、凹部２２の底面は、排水溝２１の底面よりも低い位置にある。本実施の形態では、内外方向における凹部２２の断面は略Ｕ字状であり、凹部２２の底面全体が平坦状に形成されているが、凹部２２の底面は、排水溝２１に対応する部分が他よりも高くなるように、段差を有していてもよい。
【００３４】
ここで、図５に示されるように、手摺壁３０は、横幅方向に沿って延びる上端部３０ａおよび下端部３０ｂの間に、透光パネル３１とガイド部３２とを有している。透光パネル３１とガイド部３２とは、上下方向に隣接した状態で配置されている。手摺壁３０の下端部３０ｂと立上り部２３との間には、隙間が設けられていてもよい。
【００３５】
透光パネル３１は、透光性を有する面材（たとえばガラス）により構成される。したがって、太陽光が透光パネル３１を透過可能である。ガイド部３２は、降雨時に、雨水を菜園６に導くための部材である。ガイド部３２は、たとえば、屋内側に向かって下方に傾斜する複数の羽板３２ａを含む横ルーバーにより形成される。なお、たとえば降雨量等に応じて、羽板３２ａの傾斜度合は調整可能であってもよい。
【００３６】
透光パネル３１は、手摺壁３０の上端部３０ａと連結され、ガイド部３２は、手摺壁３０の下端部３０ｂと連結されている。このように、ガイド部３２は、透光パネル３１の下方側に配置されていることが望ましい。また、これらの高さ寸法は、ガイド部３２よりも透光パネル３１の方が大きいことが望ましい。
【００３７】
なお、ガイド部３２は、手摺壁３０の全幅のうち、菜園６に隣接する部分にのみ設けられていてもよい。その場合、手摺壁３０のうち菜園６に隣接しない部分において、上端部３０ａと下端部３０ｂとの間に設けられる部材は、透光パネル３１のみであってもよいし、透光性を有さない壁材など他種の部材であってもよい。
【００３８】
手摺壁３０がこのように構成されているため、菜園６での野菜６０の栽培に、自然の太陽光と雨水とを効率的に利用することができる。すなわち、透光パネル３１が太陽光を透過するため、天気の良い日中は、菜園６の略全体に光が降り注ぐ。また、降雨の際には、ガイド部３２の羽板３２ａの傾斜面に沿って雨水が菜園６側に流れるため、菜園６の軽量土壌６３に雨水が給水される。
【００３９】
また、菜園６の下層には保湿剤６２が設けられている。そのため、ガイド部３２を介して軽量土壌６３の一部（たとえば屋外側部分）にしか雨水が給水されない場合であっても、給水された雨水は保湿剤６２に吸水されるため、保湿剤６２に吸水された水分を軽量土壌６３の全体に行き渡らせることができる。したがって、本実施の形態のように、ガイド部３２が手摺壁３０の下方部分にのみ配置される場合であっても、降雨の際には、人手によらず、菜園６の軽量土壌６３全体への水分の供給が可能となる。
【００４０】
このように、本実施の形態によれば、集合住宅１の比較的狭いベランダ１２に設けられた菜園６であっても、屋外の庭に設けられる菜園と近い状態で、菜園６に植えられた植物を育てることができる。なお、菜園６に当たる太陽光の範囲をより拡大させるためには、ガイド部３２の羽板３２ａも透光性を有する部材で形成されていてもよい。
【００４１】
また、菜園６が排水溝２１の一部を塞ぐように配置されているが、排水溝２１は、菜園６から両側方に向かって勾配を有している。また、立上り部２３の上端は菜園６の軽量土壌６３の上面よりも高い位置にある。そのため、強雨時など雨水が多い場合には、菜園６からオーバーフローした水が立上り部２３に塞き止められて、両側方の排水溝２１に流れる。したがって、ガイド部３２により必要以上の雨水が菜園６上に給水された場合には、余分な水を排水溝２１から排水することができる。
【００４２】
なお、本実施の形態では、凹部２２が立上り部２３に隣接して位置することとしたが、立上り部２３から若干離れた位置に配置されていてもよい。この場合、排水溝２１は、立上り部２３の側面に沿って、途切れることなく横幅方向に延びていてもよい。このような場合、菜園６から溢れる水を、排水溝２１を介して排水するために、菜園６は、排水溝２１に隣接していてもよい。
【００４３】
また、本実施の形態では、ガイド部３２が横ルーバーにより構成されることとしたが、屋外空間で降っている雨水を菜園６に導くことができれば、横ルーバー以外の部材により構成されてもよい。
【００４４】
また、本実施の形態では、ベランダ１２が集合住宅１のベランダであることとしたが、限定的ではなく、戸建住宅のベランダであってもよい。
【００４５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００４６】
１  集合住宅、２  共用部、３  住戸、４  商用植物工場、５  家庭用植物工場、６  菜園、１１  室内空間、１２  ベランダ、１３  外壁、１４  隔壁、２０  床部、２１  排水溝、２２  凹部、２３  立上り部、３０  手摺壁、３１  透光パネル、３２  ガイド部、３２ａ  羽板、４０  育苗パレット、４１  避難ハッチ、４２  避難区間、４３  物干しスペース、５０  屋外屋根部、６０  野菜、６１  防水層、６２  保湿剤、６３  軽量土壌。
【図１】
2017179697.tif 000003
【図２】
2017179697.tif 000004
【図３】
2017179697.tif 000005
【図４】
2017179697.tif 000006
【図５】
2017179697.tif 000007